(57)【要約】【課題】デジタル放送受信機において各ネットワークの全番組情報を蓄積するためには多くの時間と大容量のメモリが必要となってしまう。蓄積している間はユーザが視聴していないにもかかわらず電源を入れた状態に受信機をしておき放送信号を受信できる状態にしておかなければならないため、省電力化の障害となっている。【解決手段】各放送ネットワークの番組情報を蓄積するデジタル放送受信装置であって、デジタル放送信号から番組情報を取得する番組情報取得手段と、蓄積条件を記憶する蓄積条件記憶手段と、前記蓄積条件記憶手段で記憶されている蓄積条件に応じて、番組情報取得手段で取得している番組情報を蓄積する番組情報蓄積手段とを備える。【選択図】図１
2006041860.tif 000002
【特許請求の範囲】
【請求項１】
各放送ネットワークの番組情報を蓄積するデジタル放送受信装置であって、デジタル放送信号から番組情報を取得する番組情報取得手段と、蓄積条件を記憶する蓄積条件記憶手段と、前記蓄積条件記憶手段で記憶されている蓄積条件に応じて番組情報取得手段で取得している番組情報を蓄積する番組情報蓄積手段とを備えることを特徴とするデジタル放送受信装置。
【請求項２】
蓄積制限情報を取得する蓄積制限情報取得手段をさらに具備し、前記蓄積条件記憶手段が前記蓄積制限情報取得手段で取得した蓄積制限情報を記憶し、その蓄積制限情報をもとに前記番組情報蓄積手段が番組情報を蓄積することを特徴とする請求項１記載のデジタル放送受信装置。
【請求項３】
前記蓄積制限情報が、蓄積開始日からの日数であり、前記番組情報蓄積手段がその日数分の全番組情報を蓄積できるまで番組情報の蓄積を行うことを特徴とする請求項２記載のデジタル放送受信装置。
【請求項４】
前記蓄積制限情報取得手段が、蓄積制限情報をユーザから抽出し前記番組情報蓄積手段がそのユーザから抽出した蓄積制限情報をもとに番組情報の蓄積を制限することを特徴とする請求項２記載のデジタル放送受信装置。
【請求項５】
ユーザの番組視聴情報を取得する視聴情報取得手段と、前記視聴情報取得手段で取得された視聴情報から蓄積制限情報に変換する制限情報変換手段とをさらに具備し、前記蓄積条件記憶手段が前記制限情報変換手段で変換された蓄積制限情報を記憶し、その蓄積制限情報をもとに前記番組情報蓄積手段が番組情報を蓄積することを特徴とする請求項１記載のデジタル放送受信装置。
【発明の詳細な説明】
【技術分野】
【０００１】
本発明は、番組情報を蓄積するデジタル放送受信装置に関するものである。
【背景技術】
【０００２】
デジタル放送では、ユーザに多数の放送番組の中から所望の番組を容易に選択させることを目的として、放送信号に加えて番組情報を多重伝送している。受信機において、この番組情報を受信機に蓄積し番組表参照時など必要なときに蓄積されたものを読み出して利用している。そして現在のデジタル放送においては、向こう１週間分の番組情報が送出されている。
【０００３】
受信機において蓄積を行うのは、ユーザが視聴しているときとユーザが視聴していないとき（以後、待機中）の２つの場合がある。ユーザが視聴しているときに行われる蓄積は、放送ネットワークが複数あるなかにおいて視聴中のネットワークの番組情報しか蓄積できず、他ネットワークの番組情報を蓄積することができない。待機中に行われる蓄積は、各ネットワークにおいて送出されている全番組情報が蓄積されるまで、もしくは、蓄積時間が予め決められた最大蓄積時間を超えるまで蓄積を続ける。
【０００４】
特許文献１には、受信した番組情報を一旦揮発性記憶媒体のバッファに蓄積し、バッファに蓄積した中で比較的近い将来の番組情報を不揮発性記憶媒体に蓄積し、更に、各放送ネットワークに最大蓄積容量を定めることで、放送ネットワーク間の蓄積の偏りを抑制する、ことが記載されている。しかしながら、全番組情報が不揮発性記憶媒体に蓄積できる場合においては蓄積する番組情報量の削減を考慮していないので、大容量のメモリを必要とし、さらに、ＣＰＵ自体の待機電力は小さくなったものの番組情報を蓄積するためには視聴中と同じ電力を受信機に投入しなければならず通常と同じ電力を消費する。
【特許文献１】特開２００３−１５２５７７号公報
【発明の開示】
【発明が解決しようとする課題】
【０００５】
待機中において各ネットワークの全番組情報を蓄積するためには多くの時間と大容量のメモリが必要となる。蓄積している間はユーザが視聴していないにもかかわらず電源を入れた状態に受信機をしておき放送信号を受信できる状態にしておかなければならないため、省電力化の障害となっている。
【課題を解決するための手段】
【０００６】
そこで本発明では、番組情報を蓄積するときに全番組情報が蓄積されるまで番組情報の取得を続けるのではなく、蓄積する条件を設定し、その条件が満たされるまで番組情報の蓄積を行うようにしたものである。
【発明の効果】
【０００７】
本発明にかかるデジタル放送受信装置によれば、設定された条件を満たした時点で蓄積を終了するため送出されている全番組情報を蓄積するよりも蓄積時間が短い。その結果、蓄積のために電力を受信機に投入しておかなければならない時間も削減され、待機電力が削減されることになる。さらに蓄積する番組情報の量も削減することができ必要となるメモリ領域も削減されることになる。
【発明を実施するための最良の形態】
【０００８】
（実施の形態１）
図１は、本発明の実施の形態１に係るデジタル放送受信装置を示す。前記デジタル放送受信装置は、システムコントローラ１０３によって制御され、デジタル放送を受信する受信部１０１、デジタル放送から番組情報を取得する番組情報取得部１０２、番組情報を受信機に蓄積する番組情報蓄積部１０４、リモコン信号等のユーザの操作を受ける入力部１０５、ユーザの設定情報を記憶する設定情報記憶部１０６、および、映像出力部１０７を内蔵している。
【０００９】
次に、上記構成に従い、本発明の実施の形態１の受信動作を図２のフローチャートを用いて説明する。
【００１０】
伝送されるデジタル放送は、受信部１０１で受信される（ステップ１）。受信した信号のうち番組情報は受信機の番組情報蓄積部１０２に保存される（ステップ２）。蓄積を開始してから予め決められていた時間が既に経過していた場合蓄積を終了する（ステップ３のＹｅｓ）。時間がまだ経過していない場合（ステップ３のＮｏ）、システムコントローラ１０３は蓄積条件記憶部に格納されている蓄積日数情報を取り出し、蓄積開始日から日数分の全番組情報が既に番組情報蓄積部１０４に蓄積されているかを判定する（ステップ４）。既に蓄積日数分の全番組情報が既に蓄積されている場合は（ステップ４のＹｅｓ）蓄積を終了する。まだ蓄積日数分の全番組情報が蓄積されていない場合は（ステップ４のＮｏ）、蓄積を続行する（ステップ１から繰り返し）。蓄積条件記憶部１０４に格納されている蓄積日数は予めユーザによって入力部１０５から入力されていたものを記憶したものである。
【産業上の利用可能性】
【００１１】
本発明のデジタル放送受信装置は、各放送ネットワークの番組情報を蓄積するデジタル放送受信装置であって、デジタル放送信号から番組情報を取得する番組情報取得手段と、蓄積条件を記憶する蓄積条件記憶手段と、前記蓄積条件記憶手段で記憶されている蓄積条件に応じて、番組情報取得手段で取得している番組情報を蓄積する番組情報蓄積手段とを備えることにより、番組情報の蓄積時間が短縮され待機電力を削減する効果があり、さらに蓄積する番組情報の量も削減することができ必要となるメモリ領域を削減する効果がある。
【図面の簡単な説明】
【００１２】
【図１】本発明の実施の形態に係るデジタル放送受信装置の構成を示すブロック図
【図２】本発明の実施の形態の番組情報蓄積フローチャート
【符号の説明】
【００１３】
１０１    受信部
１０２    番組情報取得部
１０３    システムコントローラ
１０４    番組情報蓄積部
１０５    入力部
１０６    蓄積条件記憶部
１０７    映像出力部
【図１】
2006041860.tif 000003
【図２】
2006041860.tif 000004